(57)【要約】  複数の医用画像の中から読影すべき読影対象画像を選択可能とすることにより、不必要な読影を防止する。  読影システム１００では、モダリティ３０により撮影された医用画像の画像データはＰＡＣＳ４０に保存される。診察医側端末装置５０は、患者の診察を行う診察医が使用する端末装置であり、ＰＡＣＳ４０に保存されている医用画像の中から読影すべき読影対象画像を選択し、選択された読影対象画像に関する読影オーダ情報を読影医側端末装置６０に送信する。読影医側端末装置６０は、読影医が診察医から読影を依頼された読影対象画像の読影を行う際に使用する端末装置であり、診察医側端末装置５０から送信された読影オーダ情報に基づいて読影対象画像をＰＡＣＳ４０から読み出し、読み出された読影対象画像に対する読影レポート情報を診察医側端末装置５０に送信する。
2007135828.tif 000002
【特許請求の範囲】
【請求項１】
撮影により得られた複数の医用画像を保存する画像保存手段と、
前記画像保存手段に保存された医用画像の中から読影すべき読影対象画像を選択し、当該選択された読影対象画像に関する読影オーダ情報を送信する診察医側端末装置と、
前記診察医側端末装置から送信された読影オーダ情報に基づいて前記読影対象画像を前記画像保存手段から読み出し、当該読み出された読影対象画像に対する読影レポート情報を前記診察医側端末装置に送信する読影医側端末装置と、
を備えたことを特徴とする読影システム。
【請求項２】
前記診察医側端末装置は、
前記画像保存手段に保存された医用画像を読み出す読み出し手段と、
前記読み出された医用画像を画面上に表示する表示手段と、
前記表示された医用画像の中から読影すべき読影対象画像を選択するための選択手段と、
前記選択された読影対象画像に関する読影オーダ情報を生成する読影オーダ情報生成手段と、
前記生成された読影オーダ情報を前記読影医側端末装置に送信する送信手段と、
を備えたことを特徴とする請求の範囲第１項に記載の読影システム。
【請求項３】
前記診察医側端末装置は、
メモ情報を入力するための入力手段を備え、
前記送信手段は、前記読影オーダ情報とともに前記入力されたメモ情報を前記読影医側端末装置に送信することを特徴とする請求の範囲第２項に記載の読影システム。
【請求項４】
前記読影医側端末装置は、
前記診察医側端末装置から送信された読影オーダ情報を受信する受信手段と、
前記受信した読影オーダ情報に基づいて前記読影対象画像を前記画像保存手段から読み出す読み出し手段と、
前記読み出された読影対象画像を画面上に表示する表示手段と、
前記表示された読影対象画像に対する読影結果情報を入力するための入力手段と、
前記入力された読影結果情報に基づいて読影レポート情報を生成する読影レポート情報生成手段と、
前記生成された読影レポート情報を前記診察医側端末装置に送信する送信手段と、
を備えたことを特徴とする請求の範囲第１項から請求の範囲第３項のいずれか一項に記載の読影システム。
【請求項５】
撮影により得られた複数の医用画像を保存する画像保存手段と、診察医側端末装置と、読影医側端末装置と、を備えた読影システムであって、
前記診察医側端末装置は、
前記画像保存手段に保存された医用画像を読み出す第１読み出し手段と、
前記第１読み出し手段により読み出された医用画像を画面上に表示する第１表示手段と、
前記第１表示手段に表示された医用画像の中から読影すべき読影対象画像を選択するための選択手段と、
前記選択された読影対象画像に関する読影オーダ情報を生成する読影オーダ情報生成手段と、
前記生成された読影オーダ情報を前記読影医側端末装置に送信する第１送信手段と、
を備え、
前記読影医側端末装置は、
前記診察医側端末装置から送信された読影オーダ情報を受信する受信手段と、
前記画像保存手段に保存された医用画像を読み出す第２読み出し手段と、
第２表示手段と、
前記受信した読影オーダ情報に基づいて、前記第２読み出し手段により読み出された医用画像を前記読影対象画像と前記読影対象画像以外の医用画像とを識別可能に前記第２表示手段の画面上に表示させる表示制御手段と、
前記第２表示手段に表示された読影対象画像に対する読影結果情報を入力するための入力手段と、
前記入力された読影結果情報に基づいて読影レポート情報を生成する読影レポート情報生成手段と、
前記生成された読影レポート情報を前記診察医側端末装置に送信する第２送信手段と、
を備えたことを特徴とする読影システム。
【請求項６】
撮影により得られた複数の医用画像を保存する画像保存手段と、診察医側端末装置と、読影医側端末装置と、を備えた読影システムであって、
前記診察医側端末装置は、
前記画像保存手段に保存された医用画像を読み出す第１読み出し手段と、
前記第１読み出し手段により読み出された医用画像を画面上に表示する第１表示手段と、
前記第１表示手段に表示された医用画像の中から読影すべき読影対象画像を選択するための選択手段と、
前記選択された読影対象画像に関する読影オーダ情報を生成する読影オーダ情報生成手段と、
前記生成された読影オーダ情報を前記読影医側端末装置に送信する第１送信手段と、
を備え、
前記読影医側端末装置は、
前記診察医側端末装置から送信された読影オーダ情報を受信する受信手段と、
前記画像保存手段に保存された医用画像を読み出す第２読み出し手段と、
第２表示手段と、
前記受信した読影オーダ情報に基づいて、前記第２読み出し手段により読み出された医用画像のうち前記読影対象画像のみを前記第２表示手段の画面上に表示させる表示制御手段と、
前記第２表示手段に表示された読影対象画像に対する読影結果情報を入力するための入力手段と、
前記入力された読影結果情報に基づいて読影レポート情報を生成する読影レポート情報生成手段と、
前記生成された読影レポート情報を前記診察医側端末装置に送信する第２送信手段と、
を備えたことを特徴とする読影システム。
【請求項７】
前記診察医側端末装置は、
メモ情報を入力するための入力手段を備え、
前記第１送信手段は、前記読影オーダ情報とともに前記入力されたメモ情報を前記読影医側端末装置に送信することを特徴とする請求の範囲第５項又は請求の範囲第６項に記載の読影システム。
【請求項８】
前記読影オーダ情報は、前記医用画像に固有の識別情報を含むことを特徴とする請求の範囲第１項から請求の範囲第７項のいずれか一項に記載の読影システム。
【発明の詳細な説明】
【技術分野】
【０００１】
本発明は、撮影により得られた医用画像を読影するための読影システムに関する。
【背景技術】
【０００２】
従来、医用画像の読影は、フィルムとシャーカステンを用いて行われていたが、近年、医用画像は電子データとして保存され、一般的なＰＣ（Personal Computer）を用いて参照可能な共有データへと変化してきている。医用画像の読影には、専門的な知識や経験が必要となるため、医用画像を読影する専門医（以下、「読影医」という。）が行う場合が多い。現状のシステムでは、撮影された医用画像を読影医が読影した後、診察医が読影医による読影結果に加えて、視診や触診、その他検査結果を用いて総合的に患者の病状を診断するようになっている。診察医から読影医への読影依頼は、「読影オーダ」として送信される（例えば、特許文献１参照）。
【特許文献１】特開２００６−７９５１６号公報
【発明の開示】
【発明が解決しようとする課題】
【０００３】
しかし、現状のシステムでは、読影オーダは、患者の撮影を指示するための撮影オーダに付加する形で送信されるため、撮影を依頼する際に、予め読影を依頼するか否かをも決定しなければならなかった。ところが、撮影前に読影医による読影が必要であるか否かを判断することは難しく、結果として、念のために全ての撮影に対して読影オーダを出す場合もあった。また、読影の期限についても「緊急読影」と設定される場合が多かった。そのため、読影の必要がないにもかかわらず、緊急に読影を行わなければならない画像が多数存在することにより、読影医の業務が圧迫されていた。また、画像の撮影後に読影を依頼する場合には、撮影オーダを変更するしかなかった。【０００４】
本発明は、上記の従来技術における問題に鑑みてなされたものであって、複数の医用画像の中から読影すべき読影対象画像を選択可能とすることにより、不必要な読影を防止することを課題とする。
【課題を解決するための手段】
【０００５】
上記課題を解決するために、本発明の第１の側面によると、読影システムは、撮影により得られた複数の医用画像を保存する画像保存手段と、前記画像保存手段に保存された医用画像の中から読影すべき読影対象画像を選択し、当該選択された読影対象画像に関する読影オーダ情報を送信する診察医側端末装置と、前記診察医側端末装置から送信された読影オーダ情報に基づいて前記読影対象画像を前記画像保存手段から読み出し、当該読み出された読影対象画像に対する読影レポート情報を前記診察医側端末装置に送信する読影医側端末装置と、を備える。【０００６】
また、前記診察医側端末装置は、前記画像保存手段に保存された医用画像を読み出す読み出し手段と、前記読み出された医用画像を画面上に表示する表示手段と、前記表示された医用画像の中から読影すべき読影対象画像を選択するための選択手段と、前記選択された読影対象画像に関する読影オーダ情報を生成する読影オーダ情報生成手段と、前記生成された読影オーダ情報を前記読影医側端末装置に送信する送信手段と、を備えることが好ましい。【０００７】
また、前記診察医側端末装置は、メモ情報を入力するための入力手段を備え、前記送信手段は、前記読影オーダ情報とともに前記入力されたメモ情報を前記読影医側端末装置に送信することが好ましい。【０００８】
また、前記読影医側端末装置は、前記診察医側端末装置から送信された読影オーダ情報を受信する受信手段と、前記受信した読影オーダ情報に基づいて前記読影対象画像を前記画像保存手段から読み出す読み出し手段と、前記読み出された読影対象画像を画面上に表示する表示手段と、前記表示された読影対象画像に対する読影結果情報を入力するための入力手段と、前記入力された読影結果情報に基づいて読影レポート情報を生成する読影レポート情報生成手段と、前記生成された読影レポート情報を前記診察医側端末装置に送信する送信手段と、を備えることが好ましい。【０００９】
本発明の第２の側面によると、撮影により得られた複数の医用画像を保存する画像保存手段と、診察医側端末装置と、読影医側端末装置と、を備えた読影システムであって、前記診察医側端末装置は、前記画像保存手段に保存された医用画像を読み出す第１読み出し手段と、前記第１読み出し手段により読み出された医用画像を画面上に表示する第１表示手段と、前記第１表示手段に表示された医用画像の中から読影すべき読影対象画像を選択するための選択手段と、前記選択された読影対象画像に関する読影オーダ情報を生成する読影オーダ情報生成手段と、前記生成された読影オーダ情報を前記読影医側端末装置に送信する第１送信手段と、を備え、前記読影医側端末装置は、前記診察医側端末装置から送信された読影オーダ情報を受信する受信手段と、前記画像保存手段に保存された医用画像を読み出す第２読み出し手段と、第２表示手段と、前記受信した読影オーダ情報に基づいて、前記第２読み出し手段により読み出された医用画像を前記読影対象画像と前記読影対象画像以外の医用画像とを識別可能に前記第２表示手段の画面上に表示させる表示制御手段と、前記第２表示手段に表示された読影対象画像に対する読影結果情報を入力するための入力手段と、前記入力された読影結果情報に基づいて読影レポート情報を生成する読影レポート情報生成手段と、前記生成された読影レポート情報を前記診察医側端末装置に送信する第２送信手段と、を備える。【００１０】
本発明の第３の側面によると、撮影により得られた複数の医用画像を保存する画像保存手段と、診察医側端末装置と、読影医側端末装置と、を備えた読影システムであって、前記診察医側端末装置は、前記画像保存手段に保存された医用画像を読み出す第１読み出し手段と、前記第１読み出し手段により読み出された医用画像を画面上に表示する第１表示手段と、前記第１表示手段に表示された医用画像の中から読影すべき読影対象画像を選択するための選択手段と、前記選択された読影対象画像に関する読影オーダ情報を生成する読影オーダ情報生成手段と、前記生成された読影オーダ情報を前記読影医側端末装置に送信する第１送信手段と、を備え、前記読影医側端末装置は、前記診察医側端末装置から送信された読影オーダ情報を受信する受信手段と、前記画像保存手段に保存された医用画像を読み出す第２読み出し手段と、第２表示手段と、前記受信した読影オーダ情報に基づいて、前記第２読み出し手段により読み出された医用画像のうち前記読影対象画像のみを前記第２表示手段の画面上に表示させる表示制御手段と、前記第２表示手段に表示された読影対象画像に対する読影結果情報を入力するための入力手段と、前記入力された読影結果情報に基づいて読影レポート情報を生成する読影レポート情報生成手段と、前記生成された読影レポート情報を前記診察医側端末装置に送信する第２送信手段と、を備える。【００１１】
また、前記診察医側端末装置は、メモ情報を入力するための入力手段を備え、前記第１送信手段は、前記読影オーダ情報とともに前記入力されたメモ情報を前記読影医側端末装置に送信することが好ましい。【００１２】
また、前記読影オーダ情報は、前記医用画像に固有の識別情報を含むことが好ましい。
【発明の効果】
【００１３】
本発明の第１の側面によれば、診察医側端末装置において、複数の医用画像の中から読影すべき読影対象画像を選択可能とすることにより、読影医側端末装置における不必要な読影を防止することができる。【００１４】
また、診察医側端末装置において、表示された医用画像の中から読影すべき読影対象画像を選択することができ、必要最小限の画像に対する読影オーダ情報を送信することができる。【００１５】
また、診察医側端末装置から読影医側端末装置に、読影オーダ情報とともにメモ情報を送信することができる。【００１６】
また、読影医側端末装置において、読影対象画像を表示し、読影対象画像に対する読影レポート情報を診察医側端末装置に送信することができる。【００１７】
本発明の第２の側面によれば、診察医側端末装置において、複数の医用画像の中から読影すべき読影対象画像を選択可能とすることにより、必要最小限の画像に対する読影オーダ情報を送信することができ、読影医側端末装置における不必要な読影を防止することができる。【００１８】
本発明の第３の側面によれば、診察医側端末装置において、複数の医用画像の中から読影すべき読影対象画像を選択可能とすることにより、必要最小限の画像に対する読影オーダ情報を送信することができ、読影医側端末装置における不必要な読影を防止することができる。【００１９】
また、診察医側端末装置から読影医側端末装置に、読影オーダ情報とともにメモ情報を送信することができる。【００２０】
また、医用画像に固有の識別情報に基づいて、読影対象画像を特定することができる。
【図面の簡単な説明】
【００２１】
【図１】本発明の第１の実施の形態における読影システムの構成図である。
【図２】診察医側端末装置の内部構成を示すブロック図である。
【図３】読影医側端末装置の内部構成を示すブロック図である。
【図４】診察医側端末装置において実行される読影依頼処理を示すフローチャートである。
【図５】診察医側端末装置の表示部に表示される読影依頼画面の表示例を示す図である。
【図６】読影医側端末装置において実行される第１の読影処理を示すフローチャートである。
【図７】本発明の第２の実施の形態の読影医側端末装置において実行される第２の読影処理を示すフローチャートである。
【図８】読影医側端末装置の表示部に表示される読影画面の表示例を示す図である。
【図９】本発明の第３の実施の形態の読影医側端末装置において実行される第３の読影処理を示すフローチャートである。
【発明を実施するための最良の形態】
【００２２】
［第１の実施の形態］
まず、本発明の第１の実施の形態における読影システムを説明する。
図１に、読影システム１００の構成を示す。
図１に示すように、読影システム１００は、ＨＩＳ（Hospital Information System）１０、ＲＩＳ（Radiology Information System）２０、モダリティ３０、ＰＡＣＳ（Picture Archiving and Communication System）４０、診察医側端末装置５０、読影医側端末装置６０から構成されている。ＨＩＳ１０、ＲＩＳ２０、モダリティ３０、ＰＡＣＳ４０、診察医側端末装置５０は、病院内に設置されており、ＬＡＮ（Local Area Network）等の通信ネットワークＮ１を介して相互にデータの送受信が可能に接続されている。また、これら病院内の装置と読影医側端末装置６０とは、インターネット等の通信ネットワークＮ２を介して接続されている。なお、図１では、モダリティ３０、診察医側端末装置５０、読影医側端末装置６０がそれぞれ１台ずつ接続されているが、その設置台数は特に限定しない。【００２３】
読影システム１００において、モダリティ３０により撮影された医用画像の画像データはＰＡＣＳ４０に保存される（処理Ａ）。診察医側端末装置５０は、ＰＡＣＳ４０に保存されている医用画像の画像データを読み出して表示し（処理Ｂ）、読影オーダ情報を読影医側端末装置６０に送信する（処理Ｃ）。読影医側端末装置６０では、読影オーダ情報に基づいて読影対象画像をＰＡＣＳ４０から読み出して表示し（処理Ｄ）、読影レポート情報を診察医側端末装置５０に送信する（処理Ｅ）。【００２４】
ＨＩＳ１０は、病院内の情報を管理する情報管理システムであり、医師からの依頼を受け付けて撮影対象の患者の患者ＩＤ、氏名、性別等の患者に関する患者情報や、検査の検査ＩＤ、その検査で指定された撮影部位、撮影方法等の撮影条件情報等を含む撮影オーダ情報を生成し、管理するものである。ＨＩＳ１０は、生成された撮影オーダ情報をＲＩＳ２０に送信する。【００２５】
ＲＩＳ２０は、放射線診療部門の情報システムであり、撮影オーダ情報をモダリティ３０に送信する。【００２６】
モダリティ３０は、患者を撮影し、医用画像の画像データを生成する。例えば、ＣＴ（Computed Tomography）装置、ＣＲ（Computed Radiography）装置、ＭＲＩ（Magnetic Resonance Imaging）装置、Ｘ線撮影装置、超音波撮影装置、内視鏡撮影装置等、様々な種類の医用画像を撮影するモダリティが適用可能である。【００２７】
ＰＡＣＳ４０は、画像ＤＢ（Data Base）を備え、モダリティ３０から送信された複数の医用画像の画像データを保存・管理するものであり、診察医側端末装置５０と読影医側端末装置６０の双方からアクセス可能となっている。ＰＡＣＳ４０は、診察医側端末装置５０又は読影医側端末装置６０からの要求に応じて、画像ＤＢの画像データを要求元の診察医側端末装置５０又は読影医側端末装置６０に提供する。各医用画像には、画像を特定するための識別情報として、ＳＯＰインスタンスＵＩＤが付与されている。ＳＯＰインスタンスＵＩＤは、モダリティ３０のメーカー、機種、機器毎の値、撮影日時、連番等による６４桁の値であり、画像毎に異なる値が付与される。また、識別情報として、検査インスタンスＵＩＤ、シリーズインスタンスＵＩＤ、画像インスタンスＵＩＤを用いることとしてもよい。【００２８】
診察医側端末装置５０は、患者の診察を行う診察医が使用する端末装置であり、これまでに撮影され、ＰＡＣＳ４０に保存されている医用画像の中から読影すべき読影対象画像を選択し、選択された読影対象画像に関する読影オーダ情報を読影医側端末装置６０に送信する。診察医は、診察医側端末装置５０にて医用画像を読影し（一次読影）、読影医による読影が必要な画像を読影対象画像として抽出し、読影医に対する読影依頼を行う。【００２９】
図２に、診察医側端末装置５０の内部構成を示す。
図２に示すように、診察医側端末装置５０は、ＣＰＵ（Central Processing Unit）５１、操作部５２、表示部５３、通信部５４、ＲＯＭ（Read Only Memory）５５、ＲＡＭ（Random Access Memory）５６、記憶部５７を備え、各部はバス５８により接続されている。【００３０】
ＣＰＵ５１は、ＲＯＭ５５に記憶されている各種処理プログラムを読み出し、ＲＡＭ５６に展開し、これらプログラムに従って診察医側端末装置５０の各部の動作を統括的に制御する。ＣＰＵ５１は、ＰＡＣＳ４０に保存されている複数の医用画像の画像データを読み出し、表示部５３の画面上に表示させる。また、ＣＰＵ５１は、操作部５２の操作によって選択された読影対象画像に関する読影オーダ情報を生成する。【００３１】
操作部５２は、数字キー、文字キー、機能キー等を有するキーボードや、マウス等を備えて構成され、その操作に対応する操作信号を生成してＣＰＵ５１に出力する。操作部５２は、表示部５３に表示されている医用画像の中から読影すべき読影対象画像を選択するための選択手段である。また、操作部５２は、診察医から読影医へ伝達すべき情報を示すメモ情報を入力するための入力手段である。【００３２】
表示部５３は、ＬＣＤ（Liquid Crystal Display）等から構成され、ＣＰＵ５１からの指示に従って、操作画面やＣＰＵ５１の処理結果、医用画像等を表示する。【００３３】
通信部５４は、ネットワークインターフェイスカードやモデム等の通信用のインターフェイスを備え、他の装置と相互に通信を行う。通信部５４は、操作部５２から選択された読影対象画像に対応する識別情報を含む読影オーダ情報と、操作部５２から入力されたメモ情報とを読影医側端末装置６０に送信する。【００３４】
ＲＯＭ５５は、不揮発性の半導体メモリで構成され、ＣＰＵ５１により実行されるシステムプログラムや各種処理プログラム、データ等を記憶している。【００３５】
ＲＡＭ５６は、ＣＰＵ５１によって実行される各種プログラム及びこれらプログラムに係るデータを一時的に記憶するワークエリアを形成する。【００３６】
記憶部５７は、診察医側端末装置５０における処理に必要なパラメータやデータ、処理結果等の各種情報を記憶する。【００３７】
読影医側端末装置６０は、読影医が診察医から読影を依頼された読影対象画像の読影を行う際に使用する端末装置であり、診察医側端末装置５０から送信された読影オーダ情報に基づいて読影対象画像をＰＡＣＳ４０から読み出し、読み出された読影対象画像に対する読影レポート情報を診察医側端末装置５０に送信する。読影医は、読影医側端末装置６０にて読影対象画像を読影する（二次読影）。【００３８】
図３に、読影医側端末装置６０の内部構成を示す。
図３に示すように、読影医側端末装置６０は、ＣＰＵ６１、操作部６２、表示部６３、通信部６４、ＲＯＭ６５、ＲＡＭ６６、記憶部６７を備え、各部はバス６８により接続されている。【００３９】
ＣＰＵ６１は、ＲＯＭ６５に記憶されている各種処理プログラムを読み出し、ＲＡＭ６６に展開し、これらプログラムに従って読影医側端末装置６０の各部の動作を統括的に制御する。ＣＰＵ６１は、診察医側端末装置５０から受信した読影オーダ情報に含まれる識別情報に基づいて、ＰＡＣＳ４０から読影対象画像を読み出し、表示部６３の画面上に表示させる。また、ＣＰＵ６１は、表示部６３に表示されている読影対象画像に対する読影結果情報に基づいて読影レポート情報を生成する。読影レポート情報は、ＣＤＡ、ＨＴＭＬ（HyperText Markup Language）、ＸＭＬ（Extensible Markup Language）、ＰＤＦ（Portable Document Format）、ＷＯＲＤ等のファイルとして生成される。【００４０】
操作部６２は、数字キー、文字キー、機能キー等を有するキーボードや、マウス等を備えて構成され、その操作に対応する操作信号を生成してＣＰＵ６１に出力する。操作部６２は、表示部６３に表示された読影対象画像に対する読影結果情報を入力するための入力手段である。【００４１】
表示部６３は、ＬＣＤ等から構成され、ＣＰＵ６１からの指示に従って、操作画面やＣＰＵ６１の処理結果、読影対象画像等を表示する。【００４２】
通信部６４は、ネットワークインターフェイスカードやモデム等の通信用のインターフェイスを備え、他の装置と相互に通信を行う。通信部６４は、診察医側端末装置５０から送信された読影オーダ情報を受信する。また、通信部６４は、読影レポート情報を診察医側端末装置５０に送信する。【００４３】
ＲＯＭ６５は、不揮発性の半導体メモリで構成され、ＣＰＵ６１により実行されるシステムプログラムや各種処理プログラム、データ等を記憶している。【００４４】
ＲＡＭ６６は、ＣＰＵ６１によって実行される各種プログラム及びこれらプログラムに係るデータを一時的に記憶するワークエリアを形成する。【００４５】
記憶部６７は、読影医側端末装置６０における処理に必要なパラメータやデータ、処理結果等の各種情報を記憶する。【００４６】
次に、読影システム１００における動作について説明する。
まず、診察医により患者に対する撮影計画が立てられ、ＨＩＳ１０からＲＩＳ２０に患者情報や撮影条件情報等を含む撮影オーダ情報が送信される。そして、検査技師により撮影指示が行われ、ＲＩＳ２０からモダリティ３０に撮影オーダ情報が送信される。【００４７】
モダリティ３０では、撮影オーダ情報に基づいて、患者の撮影が行われ、医用画像の画像データが生成される。モダリティ３０において生成された画像データは、ＰＡＣＳ４０に送信され、ＰＡＣＳ４０内の画像ＤＢに保存される。【００４８】
次に、図４を参照して、診察医側端末装置５０において実行される読影依頼処理を説明する。読影依頼処理は、ＣＰＵ５１とＲＯＭ５５に記憶されているプログラムとの協働により実現される。【００４９】
まず、ＣＰＵ５１により、ＰＡＣＳ４０に保存されている複数の医用画像の画像データが読み出され（ステップＳ１）、読み出された画像データに基づいて表示部５３の画面上に医用画像が表示される（ステップＳ２）。ここで、診察医は、表示部５３に表示された医用画像を読影し（一次読影）、読影医による読影が必要であるか否かを判断する。この段階で、読影医による専門的な読影が必要ないものは読影対象から除かれる。【００５０】
次に、読影依頼を行う場合には（ステップＳ３；ＹＥＳ）、操作部５２からの操作により、表示部５３の画面上に表示されている医用画像の中から読影すべき読影対象画像が選択される（ステップＳ４）。【００５１】
次に、操作部５２から読影医に対するメモ情報が入力される（ステップＳ５）。メモ情報には、例えば、読影依頼文、臨床情報、伝達事項等が含まれる。読影依頼文としては、読影を依頼する旨とともに、読影において注意すべき点や過去の画像との比較読影の依頼等が記述される。臨床情報としては、患者の病状や経過情報等が記述される。伝達事項としては、読影の期限等が記述される。【００５２】
次に、操作部５２からの操作により、読影オーダ情報の送信先が選択される（ステップＳ６）。読影対象画像の撮影部位、読影対象画像が撮影されたモダリティ３０に応じて、その読影対象画像に適した読影医に読影を依頼することが望ましい。【００５３】
次に、ＣＰＵ５１により、ステップＳ４において選択された読影対象画像に対応する識別情報を含む読影オーダ情報が生成される（ステップＳ７）。そして、通信部５４により、ステップＳ７において生成された読影オーダ情報、及び、ステップＳ５において入力されたメモ情報が、ステップＳ６において選択された送信先の読影医側端末装置６０に送信される（ステップＳ８）。ここで、読影オーダ情報とメモ情報とは何らかの方法で関連付けられていることが好ましい。例えば、メモ情報のファイルが読影オーダ情報に添付されて読影医側端末装置６０に送信されることとしてもよいし、読影オーダ情報にメモ情報が含まれる構成としてもよい。
以上で、読影依頼処理が終了する。【００５４】
なお、ステップＳ３において、読影依頼を行わない場合には（ステップＳ３；ＮＯ）、そのまま読影依頼処理が終了する。【００５５】
図５に、診察医側端末装置５０の表示部５３に表示される読影依頼画面５３０の表示例を示す。図５に示すように、読影依頼画面５３０は、画像表示部５３１、患者情報表示部５３２、メモ情報入力部５３３、読影オーダ送信先選択部５３４を含む。画像表示部５３１には、ＰＡＣＳ４０から読み出された複数の医用画像が表示される。患者情報表示部５３２には、画像表示部５３１において選択されている医用画像に対応する患者情報及び検査情報が表示される。メモ情報入力部５３３には、診察医により操作部５２から入力される読影依頼文、臨床情報、伝達事項等のメモ情報が表示される。読影オーダ送信先選択部５３４は、プルダウンメニューから読影オーダ情報の送信先が選択される。【００５６】
次に、図６を参照して、読影医側端末装置６０において実行される第１の読影処理を説明する。第１の読影処理は、ＣＰＵ６１とＲＯＭ６５に記憶されているプログラムとの協働により実現される。【００５７】
まず、通信部６４により、診察医側端末装置５０から送信された読影オーダ情報及びメモ情報が受信されると（ステップＳ１１；ＹＥＳ）、ＣＰＵ６１により、読影オーダ情報に含まれる識別情報に基づいて、ＰＡＣＳ４０から読影対象画像の画像データが読み出され（ステップＳ１２）、読み出された画像データに基づいて表示部６３の画面上に読影対象画像が表示される（ステップＳ１３）。また、ＣＰＵ６１により、表示部６３の画面上にメモ情報が表示される（ステップＳ１４）。ここで、読影医は、表示部６３に表示された読影対象画像を読影する（二次読影）。【００５８】
次に、読影医により、操作部６２から読影結果情報が入力され（ステップＳ１５）、ＣＰＵ６１により、入力された読影結果情報に基づいて、読影対象画像に対する読影レポート情報が生成される（ステップＳ１６）。【００５９】
そして、生成された読影レポート情報は、通信部６４により、診察医側端末装置５０に送信される（ステップＳ１７）。
以上で、第１の読影処理が終了する。【００６０】
以上説明したように、第１の実施の形態における読影システム１００によれば、診察医側端末装置５０において、ＰＡＣＳ４０に保存されている複数の医用画像の中から読影すべき読影対象画像を選択することができ、必要最小限の画像に対する読影オーダ情報を読影医側端末装置６０に送信することができる。したがって、読影医側端末装置６０では、読影対象画像として選択された画像のみの読影が行われるため、読影医側端末装置６０における不必要な読影を防止することができ、読影医の負荷を軽減させることができる。【００６１】
また、これまでに撮影された医用画像に対して、任意のタイミングで読影依頼を行うことができるため、操作性を向上させることができる。【００６２】
また、診察医側端末装置５０から読影医側端末装置６０に、読影オーダ情報とともにメモ情報を送信することができるので、診察医から読影医に対して患者の状況や詳細な指示を伝達することができる。【００６３】
また、読影オーダ情報に画像に対応する識別情報が含まれるため、識別情報に基づいて、読影対象画像を特定することができる。【００６４】
［第２の実施の形態］
次に、本発明を適用した第２の実施の形態について説明する。
第２の実施の形態における読影システムは、第１の実施の形態に示した読影システム１００と同様の構成によってなるため、同一の構成部分については同一の符号を付し、その構成については図示及び説明を省略する。以下、第２の実施の形態に特徴的な構成及び処理について説明する。【００６５】
第１の実施の形態では、読影医側端末装置６０において、診察医側端末装置５０から送信された読影オーダ情報に基づいて読影対象画像のみをＰＡＣＳ４０から読み出すこととしたが、第２の実施の形態では、読影医側端末装置６０において、ＰＡＣＳ４０から全ての医用画像を読み出す場合について説明する。【００６６】
読影医側端末装置６０のＣＰＵ６１は、ＰＡＣＳ４０に保存されている複数の医用画像を読み出し、表示部６３の画面上に表示させる。その際、ＣＰＵ６１は、診察医側端末装置５０から受信した読影オーダ情報に含まれる識別情報に基づいて、ＰＡＣＳ４０から読み出された医用画像を、読影対象画像と読影対象画像以外の医用画像とを識別可能に表示部６３の画面上に表示させる。【００６７】
次に、動作を説明する。
診察医側端末装置５０における処理は、第１の実施の形態において説明した読影依頼処理（図４参照）と同様であるため、説明を省略する。【００６８】
図７を参照して、読影医側端末装置６０において実行される第２の読影処理を説明する。第２の読影処理は、ＣＰＵ６１とＲＯＭ６５に記憶されているプログラムとの協働により実現される。【００６９】
まず、通信部６４により、診察医側端末装置５０から送信された読影オーダ情報及びメモ情報が受信されると（ステップＳ２１；ＹＥＳ）、ＣＰＵ６１により、ＰＡＣＳ４０に保存されている全ての医用画像の画像データが読み出される（ステップＳ２２）。そして、ＣＰＵ６１により、読み出された画像データに基づいて表示部６３の画面上に医用画像が表示される。この際、ＣＰＵ６１により、読影オーダ情報に基づいて、読影対象画像と読影対象画像以外の医用画像とが識別可能に表示部６３の画面上に表示される（ステップＳ２３）。具体的には、読影オーダ情報に含まれる識別情報に対応する医用画像のみを赤色の枠で囲んで表示させたり、読影対象画像であることを示すマークを付して表示させたりして、読影対象画像とそれ以外の医用画像とを識別可能とする。また、ＣＰＵ６１により、表示部６３の画面上にメモ情報が表示される（ステップＳ２４）。ここで、読影医は、表示部６３に表示された読影対象画像を読影する（二次読影）。【００７０】
次に、読影医により、操作部６２から読影結果情報が入力され（ステップＳ２５）、ＣＰＵ６１により、入力された読影結果情報に基づいて、読影対象画像に対する読影レポート情報が生成される（ステップＳ２６）。【００７１】
そして、生成された読影レポート情報は、通信部６４により、診察医側端末装置５０に送信される（ステップＳ２７）。
以上で、第２の読影処理が終了する。【００７２】
図８に、読影医側端末装置６０の表示部６３に表示される読影画面６３０の表示例を示す。図８に示すように、読影画面６３０の画像表示部６３１には、ＰＡＣＳ４０から読み出された複数の医用画像が表示される。図８に示す例では、読影対象画像６３１ａ，６３１ｃが太線の枠で囲まれて表示されており、読影対象画像以外の医用画像６３１ｂ，６３１ｄ，６３１ｅ，６３１ｆと識別可能となっている。【００７３】
以上説明したように、第２の実施の形態における読影システムによれば、診察医側端末装置５０において、ＰＡＣＳ４０に保存されている複数の医用画像の中から読影すべき読影対象画像を選択することができ、必要最小限の画像に対する読影オーダ情報を読影医側端末装置６０に送信することができる。読影医側端末装置６０では、ＰＡＣＳ４０に保存されている複数の医用画像を、読影対象画像と読影対象画像以外の医用画像とを識別可能に表示するので、読影対象画像として選択された画像のみの読影を行うことができる。したがって、読影医側端末装置６０における不必要な読影を防止することができ、読影医の負荷を軽減させることができる。【００７４】
また、診察医側端末装置５０から読影医側端末装置６０に、読影オーダ情報とともにメモ情報を送信することができるので、診察医から読影医に対して患者の状況や詳細な指示を伝達することができる。【００７５】
また、読影オーダ情報に画像に対応する識別情報が含まれるため、識別情報に基づいて、読影対象画像を特定することができる。【００７６】
［第３の実施の形態］
次に、本発明を適用した第３の実施の形態について説明する。
第３の実施の形態における読影システムは、第１の実施の形態に示した読影システム１００と同様の構成によってなるため、同一の構成部分については同一の符号を付し、その構成については図示及び説明を省略する。以下、第３の実施の形態に特徴的な構成及び処理について説明する。【００７７】
第３の実施の形態では、第２の実施の形態と同様、読影医側端末装置６０において、ＰＡＣＳ４０から全ての医用画像を読み出すが、読み出した医用画像のうち読影対象画像のみを表示する場合について説明する。【００７８】
読影医側端末装置６０のＣＰＵ６１は、ＰＡＣＳ４０に保存されている複数の医用画像を読み出す。ＣＰＵ６１は、診察医側端末装置５０から受信した読影オーダ情報に含まれる識別情報に基づいて、ＰＡＣＳ４０から読み出された医用画像のうち読影対象画像のみを表示部６３の画面上に表示させる。【００７９】
次に、動作を説明する。
診察医側端末装置５０における処理は、第１の実施の形態において説明した読影依頼処理（図４参照）と同様であるため、説明を省略する。【００８０】
図９を参照して、読影医側端末装置６０において実行される第３の読影処理を説明する。第３の読影処理は、ＣＰＵ６１とＲＯＭ６５に記憶されているプログラムとの協働により実現される。【００８１】
まず、通信部６４により、診察医側端末装置５０から送信された読影オーダ情報及びメモ情報が受信されると（ステップＳ３１；ＹＥＳ）、ＣＰＵ６１により、ＰＡＣＳ４０に保存されている全ての医用画像の画像データが読み出される（ステップＳ３２）。そして、ＣＰＵ６１により、読影オーダ情報に基づいて、読み出された医用画像のうち読影対象画像のみが表示部６３の画面上に表示される（ステップＳ３３）。具体的には、読影オーダ情報に含まれる識別情報に対応する医用画像のみが表示される。また、ＣＰＵ６１により、表示部６３の画面上にメモ情報が表示される（ステップＳ３４）。ここで、読影医は、表示部６３に表示された読影対象画像を読影する（二次読影）。【００８２】
次に、読影医により、操作部６２から読影結果情報が入力され（ステップＳ３５）、ＣＰＵ６１により、入力された読影結果情報に基づいて、読影対象画像に対する読影レポート情報が生成される（ステップＳ３６）。【００８３】
そして、生成された読影レポート情報は、通信部６４により、診察医側端末装置５０に送信される（ステップＳ３７）。
以上で、第３の読影処理が終了する。【００８４】
以上説明したように、第３の実施の形態における読影システムによれば、診察医側端末装置５０において、ＰＡＣＳ４０に保存されている複数の医用画像の中から読影すべき読影対象画像を選択することができ、必要最小限の画像に対する読影オーダ情報を読影医側端末装置６０に送信することができる。読影医側端末装置６０では、ＰＡＣＳ４０に保存されている複数の医用画像のうち読影対象画像のみを表示するので、読影対象画像として選択された画像のみの読影を行うことができる。したがって、読影医側端末装置６０における不必要な読影を防止することができ、読影医の負荷を軽減させることができる。【００８５】
また、診察医側端末装置５０から読影医側端末装置６０に、読影オーダ情報とともにメモ情報を送信することができるので、診察医から読影医に対して患者の状況や詳細な指示を伝達することができる。【００８６】
また、読影オーダ情報に画像に対応する識別情報が含まれるため、識別情報に基づいて、読影対象画像を特定することができる。【００８７】
なお、上記各実施の形態における記述は、本発明に係る読影システムの例であり、これに限定されるものではない。各装置の細部構成及び細部動作に関しても本発明の趣旨を逸脱することのない範囲で適宜変更可能である。
【産業上の利用可能性】
【００８８】
本発明に係る読影システムは、患者を撮影した医用画像の読影を行う医療分野において利用可能性がある。
【符号の説明】
【００８９】
１００  読影システム
１０  ＨＩＳ
２０  ＲＩＳ
３０  モダリティ
４０  ＰＡＣＳ
５０  診察医側端末装置
５１  ＣＰＵ
５２  操作部
５３  表示部
５４  通信部
５５  ＲＯＭ
５６  ＲＡＭ
５７  記憶部
５８  バス
６０  読影医側端末装置
６１  ＣＰＵ
６２  操作部
６３  表示部
６４  通信部
６５  ＲＯＭ
６６  ＲＡＭ
６７  記憶部
６８  バス
Ｎ１  通信ネットワーク
Ｎ２  通信ネットワーク
【図１】
2007135828.tif 000003
【図２】
2007135828.tif 000004
【図３】
2007135828.tif 000005
【図４】
2007135828.tif 000006
【図５】
2007135828.tif 000007
【図６】
2007135828.tif 000008
【図７】
2007135828.tif 000009
【図８】
2007135828.tif 000010
【図９】
2007135828.tif 000011
【国際調査報告】
2007135828.tif 000012
2007135828.tif 000013